(57)【要約】【課題】作動不良をおこさず、シューズボックスの扉の開閉操作が長期間に渡って正常に行えるシューズ用ロッカーのラッチ装置を提供する。【解決手段】シューズボックス２の扉３の開放端内側に突設したラッチケース６に出没自在としたラッチ７の頭部７ａに、この頭部７ａの上面から下面に貫通する砂通過孔９を設けたものとしている。【選択図】図２
2015078527.tif 000002
【特許請求の範囲】
【請求項１】
シューズボックス（２）の扉（３）の開放端内側に突設したラッチケース（６）に出没自在としたラッチ（７）の頭部（７ａ）に、この頭部（７ａ）の上面から下面に貫通する砂通過孔（９）を設けたことを特徴とするシューズ用ロッカーのラッチ装置。
【請求項２】
前記ラッチ（７）の頭部（７ａ）の外形状を、略三角柱形状にしたことを特徴とする請求項１記載のシューズ用ロッカーのラッチ装置。
【請求項３】
前記ラッチ（７）の頭部（７ａ）の外形状を、略円柱形状にしたことを特徴とする請求項１記載のシューズ用ロッカーのラッチ装置。
【請求項４】
前記砂通過孔（９）の平面形状を、前記ラッチ（７）の頭部（７ａ）の上面の外周に沿った略三角形状としたことを特徴とする請求項２記載のシューズ用ロッカーのラッチ装置。
【請求項５】
前記砂通過孔（９）の平面形状を、前記ラッチ（７）の頭部（７ａ）の上面の外周に沿った略円形状としたことを特徴とする請求項３記載のシューズ用ロッカーのラッチ装置。
【請求項６】
前記砂通過孔（９）の開孔縁に、その孔の内方に向かって傾斜する傾斜面（１５）を設けたことを特徴とする請求項４または５記載のシューズ用ロッカーのラッチ装置。
【発明の詳細な説明】
【技術分野】
【０００１】
この発明は、小学校や中学校等のシューズ用ロッカーの扉に用いられるラッチ装置に関するものである。
【背景技術】
【０００２】
従来、この種のシューズ用ロッカーとしては、例えば図７、９に示したように、シューズ収納部２１、３１を備えた多数のシューズボックス２２、３２を縦横に複数個配置したものが存在する（非特許文献１、特許文献２）。
【０００３】
このようなシューズ用ロッカーのそれぞれのシューズボックス２２、３２は、扉２３、３３が設けられており、この扉２３、３３にはラッチ装置２４、３４が備えられた引手２５、３５が取り付けられている。この引手２５、３５によって、扉２３、３３の開閉操作を行うと、ラッチ装置２４、３４が作動して、閉じた状態の扉２３、３３を開いたり、開いた扉２３、３３を閉じた状態にしておくことができるようにしている。
【０００４】
前記ラッチ装置２４は、例えば図８に示したように、シューズボックス２２の扉２３の開放端内側に突設したラッチケース２６に、略棒状のラッチ２７がスプリング（図示せず）を介して横方向に嵌め込まれ、このラッチ２７がラッチケース２６内を摺動して、その頭部２７ａをラッチケース２６から出没するようにしている。そして、扉２３の開閉操作時に、前記頭部２７ａがシューズボックス２２の本体枠２８に係脱自在となるようにして、前記したように閉じた状態の扉２３を開いたり、開いた扉２３を閉じた状態にしておくことができるようにしている（非特許文献１）。
【０００５】
さらに、前記ラッチ装置３４は、例えば図１０に示したように、シューズボックス３２の扉３３の開放端内側に突設したラッチ受け３６に、略円柱状のラッチ３７がスプリング３８を介して直立方向に保持され、このラッチ３７がラッチ受け３６を揺動して、その一部がラッチ受け３６から出没するようにしている。そして、扉３３の開閉操作時に、前記ラッチ３７の一部がシューズボックス３２の本体枠３８に係脱自在となるようにして、前記したように閉じた状態の扉３３を開いたり、開いた扉３３を閉じた状態にしておくことができるようにしている（特許文献２）。
【０００６】
このようにした従来のシューズ用ロッカーは、小学校や中学校等において、学童や生徒が通学時や帰宅時等に、外から教室に入ったり、または教室から外に出たり、休み時間等に、教室から運動場に出たり、または運動場から教室に入る場合等に、上履きから下履き、下履きから上履きというように履物を履き替えるので、その使用頻度は非常に多い。
【先行技術文献】
【特許文献】
【０００７】
【非特許文献１】生興株式會社の「２０１３年度版のオフィス家具総合カタログ」第５５１ページに掲載の「ＳＬＢシューズボックス」
【特許文献１】実開昭５９−１８３５１９号公報
【特許文献２】実用新案登録第３１２８７９４号公報
【発明の概要】
【発明が解決しようとする課題】
【０００８】
しかしながら、従来のシューズ用ロッカーでは、上記した使用頻度において、履物を履き替える場合に、下履きをシューズボックス２２、３２に入れたり、出したりするときに、その下履きの靴底などに付着していた土砂が落ちるので、そのときにこの土砂が直接、前記ラッチ装置２４、３４に降りかかったり、そのシューズボックス２２、３２に落ちてたまっていた土砂が、上段のシューズボックス２２、３２から下段のシューズボックス２２、３２のラッチ装置２４、３４に降りかかったりして、その土砂が、ラッチケース２６から出没するようにしているラッチ２７の頭部２７ａの上面にたまったり、ラッチ受け３６から出没するようにしているラッチ３７の上面にたまったりすることがある。
【０００９】
このような状態でシューズ用ロッカーを長期間使用していると、前記ラッチ２７の頭部２７ａの上面にたまったり、ラッチ３７の上面にたまった土砂が、扉２３、３３の開閉操作時に、ラッチケース２６やラッチ受け３６に徐々に入り込んでしまい、ラッチ装置２４、３４が作動不良をおこし、扉２３、３３の開閉操作が正常に行えなくなってしまうことがある。
【００１０】
そこで、この発明は、上記従来の課題を解決することを目的としており、作動不良をおこさず、シューズボックスの扉の開閉操作が長期間に渡って正常に行えるシューズ用ロッカーのラッチ装置を提供することを目的としてなされたものである。
【課題を解決するための手段】
【００１１】
そのため、この発明のシューズ用ロッカーのラッチ装置は、シューズボックス２の扉３の開放端内側に突設したラッチケース６に出没自在としたラッチ７の頭部７ａに、この頭部７ａの上面から下面に貫通する砂通過孔９を設けたものとしている。
【００１２】
そして、この発明のシューズ用ロッカーのラッチ装置において、前記ラッチ７の頭部７ａの外形状を、略三角柱形状にしている。
【００１３】
また、この発明のシューズ用ロッカーのラッチ装置において、前記ラッチ７の頭部７ａの外形状を、略円柱形状にしている。
【００１４】
さらに、この発明のシューズ用ロッカーのラッチ装置において、前記砂通過孔９の平面形状を、前記ラッチ７の頭部７ａの上面の外周に沿った略三角形状としている。
【００１５】
また、この発明のシューズ用ロッカーのラッチ装置において、前記砂通過孔９の平面形状を、前記ラッチ７の頭部７ａの上面の外周に沿った略円形状としている。
【００１６】
さらに、この発明のシューズ用ロッカーのラッチ装置において、前記砂通過孔９の開孔縁に、その孔の内方に向かって傾斜する傾斜面１５を設けたものとしている。
【発明の効果】
【００１７】
この発明のシューズ用ロッカーのラッチ装置は、以上に述べたように構成されており、作動不良をおこさず、シューズボックスの扉の開閉操作が長期間に渡って正常に行えるものとなった。
【図面の簡単な説明】
【００１８】
【図１】この発明のラッチ装置を備えたシューズ用ロッカーの要部斜視図である。
【図２】この発明のラッチ装置の斜視図である。
【図３】この発明のラッチ装置の分解斜視図である。
【図４】この発明のラッチ装置のラッチの平面図である。
【図５】この発明のラッチ装置のシューズ用ロッカー扉への取り付け状態を示す側面断面図である。
【図６】この発明のラッチ装置のシューズ用ロッカー扉への取り付け状態を示す平面断面図である。
【図７】従来のラッチ装置を備えたシューズ用ロッカーの一例を示す全体斜視図である。
【図８】図７に示す従来のラッチ装置の平面図である。
【図９】従来のラッチ装置を備えたシューズ用ロッカーの他の例を示す全体斜視図である。
【図１０】従来のラッチ装置のさらに他の例を示す斜視図である。
【発明を実施するための形態】
【００１９】
以下、この発明のシューズ用ロッカーのラッチ装置を実施するための形態を、図面に基づいて詳細に説明する。
【００２０】
この発明のシューズ用ロッカーのラッチ装置は、図１に示したように、シューズ収納部１を備えた多数シューズボックス２が縦横に複数個配置したシューズ用ロッカーに備え付けられる。
【００２１】
前記シューズ用ロッカーのそれぞれのシューズボックス２は、扉３が設けられており、この扉３にはこの発明のラッチ装置４が備えられた引手５が取り付けられている。この引手５によって、扉３の開閉操作を行うと、ラッチ装置４が作動して、閉じた状態の扉３を開いたり、開いた扉３を閉じた状態にしておくことができるようにしている。
【００２２】
前記ラッチ装置４は、図２〜４に示したように、シューズボックス２の扉３の開放端内側に突設したラッチケース６に、略棒状のラッチ７がスプリング８を介して横方向に嵌め込まれ、このラッチ７がラッチケース６内を摺動して、その頭部７ａをラッチケース６から出没自在としている。そして、扉３の開閉操作時に、前記頭部７ａがシューズボックス２の本体枠８に係脱自在となるようにして、前記したように閉じた状態の扉３を開いたり、開いた扉３を閉じた状態にしておくことができるようにしている。
【００２３】
前記ラッチ７の頭部７ａには、内壁面９ａを有し、上面から下面に貫通する砂通過孔９を設けたものとしており、その頭部７ａの外形状は、図示したものでは、略三角柱形状にしているが、略円柱形状や略扇柱形状等にすることもできる。なお、前記内壁面９ａは、ラッチ７をラッチケース６に嵌め込んだときに、ラッチケース６の閉じ蓋の役目をしている。
【００２４】
前記スプリング８は、細棒状のコイルスプリングとしており、一端をラッチ７の胴部７ｂに形成した支持穴１０に支持させ、他端をラッチケース６の内壁面に当接させて、ラッチ７がラッチケース６内を摺動するときに付勢力を与えるようにしている。なお、前記ラッチ７には、ラッチ７の長さ方向の案内体１１を胴部７ｂの後端に突設すると共に、ラッチ７の抜け止体１２を胴部７ｂの側面に突設したものとし、ラッチ７がラッチケース６内を摺動するときに、前記案内体１１がラッチケース６の後壁に設けた案内孔１３から出没自在とすると共に、前記抜け止体１２がラッチケース６の側壁に設けた案内スリット１４の前後端に当接して、前記ラッチ７がラッチケース６内をスムーズに摺動すると共に、前記ラッチ７がラッチケース６内から飛び出さないようにしている。
【００２５】
前記砂通過孔９は、その平面形状を、略三角柱形状にしたラッチ７の頭部７ａの上面の外周に沿った略三角形状としたり、略円柱形状にしたラッチ７の頭部７ａの上面の外周に沿った略円形状としたり、略扇柱形状にしたラッチ７の頭部７ａの上面の外周に沿った略扇形状とすることができる。さらに、前記砂通過孔９の開孔縁には、その孔の内方に向かって３０〜７５度の傾斜角、好ましくは４５〜６０度の傾斜角で傾斜する傾斜面１５を設けたものとしている。
【００２６】
以上のように構成したこの発明のラッチ装置を備え付けたシューズ用ロッカーは、小学校や中学校等において、次のようにして使用される。
【００２７】
学童や生徒は、通学時や帰宅時等おいて、外から教室に入ったり、または教室から外に出たり、休み時間等において、教室から運動場に出たり、または運動場から教室に入る場合等に、上履きから下履き、下履きから上履きというように履物を履き替えるので、頻繁に使用される。
【００２８】
この場合、下履きをシューズボックス２に入れたり、出したりするときに、図５に示したように、その下履きの靴底などに付着していた土砂が落ちるので、そのときにこの土砂が直接、下段のシューズボックス２のラッチ装置４のラッチ７の頭部７ａに降りかかったり、そのシューズボックス２に落ちてたまっていた土砂が、下段のシューズボックス２のラッチ装置４のラッチ７の頭部７ａに降りかかる。
【００２９】
しかし、前記ラッチ装置４のラッチ７の頭部７ａに降りかかった土砂は、図５に示したように、この頭部７ａの砂通過孔９を通過して下に落ちるので、頭部７ａの上面にたまることは殆どない。前記砂通過孔９の開孔縁に傾斜面１５を設けたものでは、土砂がこの傾斜面１５を滑り落ちるので、土砂は頭部７ａの上面にたまることはまったくない。なお、前記砂通過孔９の内壁面９ａによって、ラッチケース６は閉じられているので、前記土砂が砂通過孔９を通過するときに、この土砂がラッチケース６に入り込むことはない。
【００３０】
したがって、この発明のラッチ装置では、シューズ用ロッカーを長期間、頻繁に使用しても、ラッチ７の頭部７ａの上面に土砂がたまることはなく、扉３の開閉操作時に、ラッチ７の頭部７ａの上面からラッチケース６に土砂が入り込んでしまうことはなく、作動不良をおこさず、シューズボックス２の扉３の開閉操作が常に正常に行えるものとなる。
【符号の説明】
【００３１】
２  シューズボックス
３  扉
６  ラッチケース
７  ラッチ
７ａ  頭部
９  砂通過孔
１５  傾斜面
【図１】
2015078527.tif 000003
【図２】
2015078527.tif 000004
【図３】
2015078527.tif 000005
【図４】
2015078527.tif 000006
【図５】
2015078527.tif 000007
【図６】
2015078527.tif 000008
【図７】
2015078527.tif 000009
【図８】
2015078527.tif 000010
【図９】
2015078527.tif 000011
【図１０】
2015078527.tif 000012